(57)【要約】【課題】分散発電システムの詳細な発電状態を確認することが必要でない場合は、低消費電力であるＬＥＤによってのみ発電状態情報を必要最低限表示する。【解決手段】入力部１１と、手動操作部１２と、制御部１３と、発電状態表示用ディスプレイとしての発電状態表示用ＦＰＤ１４と、発電状態表示用ＬＥＤ１５ａ，１５ｂとを備えており、発電状態表示用ＦＰＤ１４には、分散発電システムの発電状態情報（連系状態および運転状態）を詳細に示す文字列が所定の色で表示されており、連系状態表示用ＬＥＤ１５ａおよび運転状態表示用ＬＥＤ１５ｂは、連系状態および運転状態を必要最低限示すために、前記文字列と同じ色でそれぞれ発光している。【選択図】  図１
2006065489.tif 000002
【特許請求の範囲】
【請求項１】
商用電源と連系運転する分散発電システムに接続された発電状態表示装置であって、
発電状態表示用ディスプレイと、発電状態表示用発光ダイオードと、これらディスプレイおよび発光ダイオードの表示を制御する制御部とを備えており、
前記制御部は、前記分散発電システムを構成する系統連系インバータから送信された発電状態情報を詳細に表す文字列を所定時間のみ表示するように前記発電状態表示用ディスプレイを制御するとともに、前記発電状態情報を表す色の光を常時点灯するように前記発電状態表示用発光ダイオードを制御し、かつ、前記文字列が発電状態ごとに予め設定された色で表示されており、前記発電状態表示用発光ダイオードが前記文字列の色と同じ色で発光していることを特徴とする分散発電システムの発電状態表示装置。
【請求項２】
前記発電状態表示用発光ダイオードが、前記系統連系インバータが商用電源と連系しているか否かを示す連系状態表示用発光ダイオードと、分散発電システムの運転状態が連系運転および自立運転のうちのどちらの運転状態であるのかを示す運転状態表示用発光ダイオードとによって構成されている請求項１記載の分散発電システムの発電状態表示装置。
【発明の詳細な説明】
【技術分野】
【０００１】
本発明は、家庭内に装備された分散発電システムの発電状態を表示する分散発電システムの発電状態表示装置に関する。
【背景技術】
【０００２】
太陽電池や燃料電池などといった分散発電システムは、自然エネルギーを電気エネルギーに直接変換するものであり、近年の地球環境問題に対する意識の高まりを背景に、地球温暖化の原因とされる二酸化炭素を排出しないクリーンな発電装置として注目されている。
【０００３】
この分散発電システムを設置した家庭では、分散発電システムの発電状態を確認するために、発電された電力を表示する発電状態表示装置が広く用いられている。
【０００４】
図３に従来の分散発電システムの一例を示す。
【０００５】
従来の分散発電システムは、図示されているように、分散電源１０１と、分散電源１０１から供給される電力を商用電源へ伝送するための系統連系インバータ１０２と、発電状態を表示する表示装置１０３とを備えている。
【０００６】
このような構成において、分散発電システムの発電電力を示す発電電力データ（図３においては、「２．４５ｋＷ」）に加え、分散発電システムの商用電源との連系状態（図３においては、「連系運転中」）が、表示装置において表示される。
【０００７】
また、従来の表示装置の一例としては、外部の情報処理装置より転送されてきた画像データを表示画面に表示する表示器と、表示に関する動作モードを示す表示手段とを備えたものがある（例えば、特許文献１参照）。
【０００８】
さらにまた、従来の表示装置の他の例として、例えばデジタルビデオカメラの液晶表示装置があり、トラブルが検出されると、赤色発光ダイオード（ＬＥＤ（Ｌｉｇｈｔ  Ｅｍｉｔｔｉｎｇ  Ｄｉｏｄｅ））を点灯し、ユーザの操作を待つが、ユーザが適切な対応を行わないと、強制的に液晶表示装置をオンにして、トラブル情報の表示を行うといったものがある（例えば、特許文献２参照）。
【特許文献１】特開平８−３２７９７１号公報
【特許文献２】特開２０００−１９４４１５号公報
【発明の開示】
【発明が解決しようとする課題】
【０００９】
分散発電システムは、省エネルギー生活を実現することが本来の目的であるが、発電状態を詳細に確認するためには、時間に対する発電電力、商用電源との連系状態および設置後の積算発電電力量などを表示する必要がある。詳細情報を表示するためにはＦＰＤ（Ｆｌａｔ  ｐａｎｅｌ  Ｄｉｓｐｌａｙ）などの自由度の高い表示装置が必要であるが、ＦＰＤは消費電力が大きく、また寿命も短いという問題があった。
【００１０】
本発明はこのような事情を考慮してなされたもので、その目的は、分散発電システムの詳細な発電状態を確認する必要がある場合には、ＦＰＤを使って表示するが、それ以外の場合には必要最小限の情報を低消費電力のＬＥＤで表示する分散発電システムの発電状態表示装置を提供することにある。
【課題を解決するための手段】
【００１１】
上記課題を解決するため、本発明にかかる分散発電システムの発電状態表示装置は、図１に示すように、入力部１１と、手動操作部１２と、制御部１３と、発電状態表示用ディスプレイとしての発電状態表示用ＦＰＤ１４と、発電状態表示用ＬＥＤ１５ａ，１５ｂとを備えており、入力部１１に送信された分散発電システムの発電状態情報を、制御部１３による制御に従って、発電状態表示用ＦＰＤ１４と発電状態表示用ＬＥＤ１５ａ，１５ｂとに表示するといったものである。
【００１２】
本発明において、入力部１１と分散発電システムとの間の通信には、ＲＳ４８５、ＲＳ２３２Ｃ（いずれも、ＥＩＡ（Ｅｌｅｃｔｒｏｎｉｃ  Ｉｎｄｕｓｔｒｉｅｓ  Ａｌｌｉａｎｃｅ）基準の仕様である）などの有線通信、または無線ＬＡＮ（Ｌｏｃａｌ  Ａｒｅａ  Ｎｅｔｗｏｒｋ）、Ｂｌｕｅｔｏｏｔｈ（２．４ＧＨｚ帯域を用いた無線伝送方式）などの無線通信を用いることができる。さらに、制御部１３にはＣＰＵ（ｃｅｎｔｒａｌ  ｐｒｏｃｅｓｓｉｎｇ  ｕｎｉｔ）を用い、発電状態表示用ＦＰＤ１４には、ＬＣＤ（Ｌｉｑｕｉｄ  Ｃｒｙｓｔａｌ  Ｄｉｓｐｌａｙ）または有機ＥＬディスプレイ(Ｅｌｅｃｔｒｏ  Ｌｕｍｉｎｅｓｃｅｎｔ Ｄｉｓｐｌａｙ)などを用い、手動操作部１２にはボタンスイッチを用い、発電状態表示用ＬＥＤ１５ａ，１５ｂには、青色、赤色または緑色などの色を発光するＬＥＤを用いることができる。
【００１３】
なお、分散電源とは、例えば太陽電池を用いた電源であり、商用電源とは、電力会社に対して電力を授受できる電力系統を意味する。
【００１４】
前記発電状態表示用ＦＰＤ１４は、発電状態情報を詳細に表す文字列を表示しており、予め設定された時間内に手動操作が発生しなかった場合は消費電力を抑制するために表示を停止するものである。発電状態表示用ＬＥＤ１５ａ，１５ｂは、必要最低限の発電状態情報を、常時表示するものである。さらに、発電状態表示用ＦＰＤ１４に表示される文字列は、発電状態によって予め設定された色で表示されており、同時に、発電状態表示用ＬＥＤ１５ａ，１５ｂそれぞれの色も、前記文字列と同じ色となっている。
【００１５】
このように、発電状態表示用ＦＰＤ１４と発電状態表示用ＬＥＤ１５ａ，１５ｂとの間で、発電状態情報をその内容ごとに色を変えて表示することにより、分散発電システムの導入者に対しわかり易い表示を、消費電力を抑制しながら実現できる。
【００１６】
なお、発電状態表示用ＬＥＤ１５ａ，１５ｂは、分散発電システムを構成する系統連系インバータが商用電源と連系しているかどうかを示す連系状態表示用ＬＥＤ１５ａと、分散発電システムの運転状態が連系運転または自立運転のうちのいずれの状態であるのかを示す運転状態表示用ＬＥＤ１５ｂとで構成されていてもよい。
【００１７】
また、入力部１１から入力される発電状態情報は、前記発電状態情報を必要最低限示す情報に加え、例えば、システム導入後の積算発電電力量、時間毎の発電電力量、１日の最大瞬間発電電力、故障履歴および系統保護条件であってもよい。
【発明の効果】
【００１８】
本発明によれば、発電状態表示用ディスプレイには、分散発電システムを構成する系統連系インバータから送信された発電状態情報を詳細に表す文字列が所定時間のみ表示されており、発電状態表示用発光ダイオードでは、発電状態情報を必要最低限表す色の光が常時点灯しているので、分散発電システムの詳細な発電状態を確認することが必要でない場合は、低消費電力であるＬＥＤによってのみ発電状態情報を必要最低限表示することができる。さらに、前記文字列が発電状態ごとに予め設定された色で表示されており、発電状態表示用発光ダイオードが文字列の色と同じ色で発光しているので、発電状態情報の必要量に応じて表示方法を選択することにより、表示に関する消費電力を抑制しながら、わかり易い表示を実現することができる。
【００１９】
また、発電状態表示用ＬＥＤが、系統連系インバータが商用電源と連系しているか否かを示す連系状態表示用ＬＥＤと、分散発電システムの運転状態が連系運転および自立運転のうちのどちらの運転状態であるのかを示す運転状態表示用ＬＥＤとによって構成されている場合には、複数の情報を低消費電力でわかり易く表示することができる。
【発明を実施するための最良の形態】
【００２０】
以下、本発明の実施の形態について、図面を参照して説明する。
【００２１】
図１は、本発明にかかる分散発電システムの発電状態表示装置の実施形態を示すブロック図である。
【００２２】
図１に示すように、分散発電システム発電状態表示装置１０は、入力部１１と、手動操作部１２と、制御部１３、発電状態表示用ＦＰＤ１４と、連系状態表示用ＬＥＤ（発電状態表示用ＬＥＤ）１５ａおよび運転状態表示用ＬＥＤ（発電状態表示用ＬＥＤ）１５ｂとを備えている。
【００２３】
例えば、入力部１１にはＲＳ４８５において使用可能なインターフェースを用い、手動操作部１２にはボタンスイッチを用い、制御部３０にはＣＰＵを用い、発電状態表示用ＦＰＤ１４にはドットマトリクスＬＣＤを用い、連系状態表示用ＬＥＤ１５ａには連系状態表示用に青色／赤色２色のＬＥＤを用い、運転状態表示用ＬＥＤ１５ｂには運転状態表示用に緑色／赤色２色のＬＥＤを用いる。
【００２４】
入力部１１には、分散発電システム用系統連系インバータから、商用電源との連系状態と、連系か自立かといった分散発電システムの運転状態と、分散発電システムの瞬時発電電力とを示す発電状態情報が入力される。
【００２５】
制御部１３は、入力部１１から入力された発電状態情報に応じて、発電状態表示用ＦＰＤ１４へ表示信号を送る。前記連系状態の表示については、系統連系インバータが商用電源と連系している状態では「連系接続中」と青色文字で表示され、連系していない状態では「連系解離中」と赤色で表示される。また、前記運転状態の表示については、連系運転状態では「連系運転中」と緑色文字で表示され、自立運転状態では「自立運転中」と赤色文字で表示される。なお、発電電力は黒色文字で表示される。また、これらの表示は５秒毎に最新の状態に更新される。
【００２６】
さらに、制御部１３は、連系状態表示用ＬＥＤ１５ａへも表示信号を送る。系統連系インバータが商用電源と連系している状態では、連系状態表示用ＬＥＤ１５ａは、発電状態表示用ＦＰＤ１４に表示されている「連系接続中」の文字と同じ青色に発光する。連系していない状態では、連系状態表示用ＬＥＤ１５ａは、発電状態表示用ＦＰＤ１４に表示されている「連系解離中」の文字と同じ赤色に発光する。
【００２７】
さらにまた、制御部１３は、運転状態表示用ＬＥＤ１５ｂへも表示信号を送る。連系運転状態では、運転状態表示用ＬＥＤ１５ｂは、発電状態表示用ＦＰＤ１４に表示されている「連系運転中」の文字と同じ緑色に発光する。自立運転状態では、運転状態表示用ＬＥＤ１５ｂは、発電状態表示用ＦＰＤ１４に表示されている「自立運転中」の文字と同じ赤色に発光する。
【００２８】
図２は、図１に示す分散発電システム発電状態表示装置の外観の一例を示す説明図である。
発電状態表示用ＦＰＤ１４に表示されている状態表示文字列（図２においては、「連系接続中」および「連系運転中」）は、その状態表示文字列と同じ情報を表示する連系状態表示用ＬＥＤ１５ａおよび運転状態表示用ＬＥＤ１５ｂに最も近い位置に表示される。
【００２９】
この発電状態表示用ＦＰＤ１４は、手動操作が発生した後、１分間表示を継続する。そして、手動操作が行われるごとに表示が更新されると共に１分間の表示時間のカウントも更新され、また、最後の手動操作から1分を過ぎると自動的に発電状態表示用ＦＰＤ１４の表示を停止する。
【００３０】
連系状態表示用ＬＥＤ１５ａおよび運転状態表示用ＬＥＤ１５ｂは、手動操作にかかわらず常時表示を行い、必要最小限の情報を表示する。
【００３１】
なお、発電状態表示用ＦＰＤ１４の自動停止時間は、１分に限るものではなく、最適な時間を適宜設定してもよい。また、本発明の分散発電システム発電状態表示装置を構成するＬＥＤの色や、文字表現についても前述の形態に限定されるものではない。
【産業上の利用可能性】
【００３２】
本発明の分散発電システム発電状態表示装置は、太陽電池や燃料電池などといった家庭内に装備された分散発電システムにおいての使用に活用できる。
【図面の簡単な説明】
【００３３】
【図１】本発明の分散発電システム発電状態表示装置の実施例１を示すブロック図である。
【図２】図１に示す分散発電システム発電状態表示装置の外観の一例を示す説明図である。
【図３】従来の分散発電システムの一例を示す。
【符号の説明】
【００３４】
１０              分散発電システム発電状態表示装置
１１              入力部
１２              手動操作部
１３              制御部
１４              発電状態表示用ＦＰＤ
１５ａ            連系状態表示用ＬＥＤ（発電状態表示用ＬＥＤ）
１５ｂ            運転状態表示用ＬＥＤ（発電状態表示用ＬＥＤ）
【図１】
2006065489.tif 000003
【図２】
2006065489.tif 000004
【図３】
2006065489.tif 000005